Podtech/llm-jp-corpus-v4-ja_patent huggingface dataset:
(57)【要約】【課題】今世界的に水不足であり、水道水、産業汚水、湖，海等、幅広く水の浄化が求められています。この装置が水の浄化に寄与することが目的である。【解決手段】バクテリア繁殖槽をつくり、汚水を小量注入することで機能の落ちない浄化装置を考案した。【選択図】図１
2005058990.tif 000002
【特許請求の範囲】
【請求項１】
浄化目的物たる汚水槽（源）と該汚水の汚物を分解するバクテリアを繁殖させるバクテリア繁殖槽から構成され、バクテリア繁殖槽で繁殖したバクテリアを汚水槽（源）に小量適入することにより、汚水を浄化することを特徴とした汚水浄化装置。
【発明の詳細な説明】
【発明の詳細な説明】
【技術分野】
【０００１】  本願発明は、水浄化装置に関するものである。
【背景技術】
【０００２】汚物等の有機物により汚染された汚水は、自然界に置いては、多数のバクテリアにより分解され浄化される。
多種多様なバクテリアには、好気性、嫌気性のものがあり、一例としては、バッキ等を行い水の浄化を行なっているが、完全には浄化出来ていないのが現実です。又荒い目の濾材から細かい濾材に汚水を通過させ、汚水全体を濾過しているが、その為に多孔質の濾材が目詰まりを起こしバクテリアが減り、浄化力が落ち大量に汚水を浄化出来ない。
【発明が解決しようとする課題】
【０００３】汚水をバクテリアが浄化する時、簡単に説明しますと酸素の供給をする為にバッキ槽を造り、そして沈殿させ水と残滓を分ける、いわゆる活性汚泥法であるが、これは非常に効率が悪い。濾過の場合は、濾過槽が目詰まりを起こし汚水の汚れが多い場合は機能しなくなる。
【課題を解決するための手段】
【０００４】本願発明は、上記課題を解決するため、バクテリア繁殖浄化槽を造る。繁殖槽内部はバクテリアの住みかとなる「巣」を多孔質の活性炭等で造り、バクテリアが一番浄化しやすい水の流れ、空気（酸素）を与え、水の温度もバクテリアが繁殖する適温にする。その中に汚水を適量、すなわち、活性炭等が目詰まりしない小量を注入すると、その汚水を浄化するのに合致したバクテリアが自然的に大繁殖するのである。その状態を繁殖槽で保持しながら、汚水が順次注入されただけ、繁殖槽から汚水槽（源）に戻るのである。その水の中に繁殖したバクテリアが混入していて汚水を浄化すると言う浄化方法である。
【発明の実施例】
【０００５】本願発明は以上のような構成であるので、バクテリアの巣である活性炭等に目詰まりを起こさないので、バクテリアの繁殖が保たれ、浄化システムとして、長期にわたり安定した浄化状態が保たれる。図面を参照しなが説明する。
【０００６】図１は、請求項１に記載の水浄化装置と汚水槽（源）を示す図である。
まずは、本図を基に、本願発明の実施例、水浄化装置の構成等について説明する。
本願発明の浄化装置は、バクテリア繁殖槽１と、汚水槽（源）２から構成される。
バクテリア繁殖槽１は、バクテリア繁殖槽１の底面及び上面から設けられた仕切り板３により３部屋に仕切られ、流出口１１が設けられた部屋４には、ポンプ７が設置され、パイプ８により反対の部屋６に延び、繁殖槽の水を４，６，５と循環し、バクテリアが最高に繁殖する流れを与えるのである。
また、バクテリア繁殖槽１の中にはバクテリアの「巣」の役割を果たす多孔質な活性炭等が入っている。
この繁殖槽に汚水槽（源）２の汚水１２を９のポンプでパイプ１０を用い繁殖槽に導く。この時の汚水の量とバクテリアを自然繁殖させることが今回の発明のポイントである。
バクテリア繁殖槽の「巣」すなわち活性炭等が目詰まりを起こさない適量を注入する。その汚水がバクテリアのエサとなり、汚水に合致したバクテリアが多量に繁殖する。パイプ１０より注入された汚水は、繁殖槽で浄化され、注入された汚水の分だけ流出口１１より汚水槽２の汚水１２に注がれる。その中にバクテリアが混入していて、汚水槽（源）２の汚水１２が浄化される仕組みである。
【０００７】以上、本願発明の実施例を説明したが、本願発明は、上記実施例に限定されるものでなく、本願発明の趣旨を逸脱しない範囲内で、種々の改良変形が可能なことは容易に推察できるものである。
【発明の効果】
【０００８】以上説明したことから明らかなように本願発明は、浄化槽にバッキだけの浄化や、汚水を全部通す濾過浄化ではなく、汚水を小量注入してバクテリアの繁殖を促し、その繁殖したバクテリアを汚水に注入する方法であるので、バクテリア繁殖槽が汚れなく機能が長持ちし性能が良い。又小型に出来、バクテリアは自然繁殖なので、経費、ランニングコスト、メンテナンスで水の浄化すべて、他の方式に勝ると思われる。
【図面の簡単な説明】
【図１】図１は、バクテリア繁殖槽１と汚水槽（源）２の図で、バクテリア繁殖槽に汚水が適量注入され、浄化された水が汚水に戻る浄化装置の概略を示した図である。
【符号の説明】
１．                      バクテリア繁殖浄化槽
２．                      汚水槽（源）
３．                      仕切り版
４．５．６．              活性炭等の「巣」となる部屋
７．                      水循環ポンプ
８．                      水循環用パイプ
９．                      汚水注入ポンプ
１０．                    汚水を繁殖槽に導く注入パイプ
１１．                    浄化水流出口
１２．                    汚水
【図１】
2005058990.tif 000003
(57)【要約】      （修正有）【課題】育種用につくられた雑種種子は、不ぞろいで、しいなのものが多く、成熟度が低く、雑種としての結合度も低い。これは両親となるものが大きな差異を要求され、その得にくい雑種が要求される育種素材となる。この様な除外することができない不完全な雑種々子に処理を施して不完全性を改善し、発芽、発育特性を向上させて、育種の目的を達することが望まれる。【解決手段】育種用交雑種子の種皮のよごれや、蝋状物質を、多量の水や、多量のうすい食塩水でよく洗浄して、種子の活性を改善できる。洗浄後、水をよくきって、湿ったまヽ相当期間凍結して、春化処理をすることによって、種子の不完全性、不熟成性、雑種不つり合い性を改善して、充実性を持った種子に改善する。さらに処理後適温保存と充分な乾燥によって保存することによって種子の充実性を保充するものである。春化処理の効果のもどりに注意を要する。【選択図】  なし【特許請求の範囲】
【請求項１】
交配育種によって得られた交雑種子を、種皮の外部から、多量の水でよく洗った後、脱水して、これを湿ったまヽ凍結して適当期間おき、春化処理をする。
処理後、充分乾燥して処理種子とする。
【請求項２】
多量の水で、を多量のうすい食塩水でとする請求項Ｉの処理法。
【発明の詳細な説明】
【発明の詳細な説明】
〔発明の属する技術分野〕
【０００１】  この発明は、育種を目的とした、人為交雑々種を対象とした、種子処理法に関するものである。
〔従来の技術〕
【０００２】  元来人為交雑による種子は、両親が異質のために、対合状態が悪く、種子にしいなが多く、完全種子が少ない場合が多く、発芽及びその後の生育も不完全なものが多い反面、雑種が育種の目的材料となるために、重要となる。
〔発明が解決しようとする課題〕
【０００３】  育種用の雑種は、全般に利用し、選別はごみを除く程度で、種子機能は一般に低い。  このため、種皮をきれいにして、活性を高めたり、低温・凍結による、春化処理によって活性を高めたり、適温・乾燥状態で保存して、活性を高めて、種子の発芽成績や、その後の生育を改善する必要がある。
〔課題を解決するための手段〕
【０００４】  この課題を解決するために次の手段を発見した。
育種用交雑種子を、ごみ等を除き、種皮を、多量の水あるいは多量のうすい食塩水で、よごれや蝋状物質を、よく洗浄してから、よく水をきって、湿ったまま凍結させて、春化処理を施し、適当温度で、適当期間の処理後、よく乾燥させて、適当温度で、保存して、発芽育苗に供する。
以上の如く、種子の機能を向上させる処理を施す。
〔発明実施の形態〕
【０００５】  育種用交雑種子を、ごみ等を除いた後、種子に大きな変異を持ったまま、中形の布袋に１ｋｇ〜５ｋｇ位ずつ入れて、これを外部より、よく洗って、種皮に付いたよごれや、蝋状物質をきれいに洗浄した後、水をきって、湿ったまヽ凍結して、相当期間凍結を続けて、春化処理を施した後、乾燥を充分にして保存する。
〔実施例〕
【０００６】  育種用交雑種子を、ごみ等を除き、変異の大きいまま、中形の布袋に１回に、１ｋｇ〜５ｋｇ位ずつ入れて、これを洗濯機で、１〜数回ていねいに洗い、後脱水器で充分脱水した後、湿ったまヽ冷凍庫に入れて、凍結し、相当期間春化処理を施してから布袋から出して、むしろ等の上にひろげて、充分乾燥して保存する。
〔発明の効果〕
【０００７】  育種用に交雑した雑種は一般に、しいなが多く、完全に成熟して充実した種子は、かえって少ない。
異質の親株を使って交配するので、対合が不完全で、実りも悪い。  この意味から、種子処理を施して、種子の活性等を改良して、種子の成熟と、発芽率を高めることは重要である。
種皮の表面には生育の過程で付着したよごれや、内部から浸出した汗状物等や蝋状物質がとりまいていて、種子の活性を低下しているから、これらを多量の水あるいは、多量のうすい食塩水でよく洗浄して活性を改善すると、休眠中においても、充分な呼吸を続けて、保存と発芽成績が向上する。
これを水をきって、湿ったまヽ相当期間凍結して、春化処理を施すと、種子の成熟と充実がはかられて、交雑による不対合、不つり合いも改良されて、良質種子になることも多い。
春化処理後に適温に充分乾燥して、保存することによっても、種子の充実度は相当に改良される。
武村（２００３）は、水の処理、化学的変化から、生物の生理・生態変化を推察する方法を提唱している。
一般に、生物は、休眠に入ると、同化作用、呼吸作用共にいちヾるしく低下する。
同化作用が低下する反面、内的同化が増加し、貯蔵成分から脱水縮重合により、必要成分を同化する。  他方呼吸作用は脱水素反応で行われて、恒常性を保つ。
そのため脱水縮重合による脱水と、脱水素反応による水素が体内に増加する。
活性水が活性水素を吸着すると、表面張力が増加し、吸着膜をつくり、水素吸着水ができる。
この内部で、吸着された水素の側には斥力が生じて、外周の多くの水素を遠のけて除く。  他方吸着した水の側には引力が生じて外周の多くの水分子を引よせる。
2005058204.tif 000002
水素吸着水は、水分子の大きな集合体で、体内でつくられると、半透膜を透過できないから、体内にとヾまり、体大膨潤化の原因ともなる。
ここで外周が乾燥したり、凍結したりして、自由水が乏しくなると、吸着によって生じた吸着の引力は吸着膜より内方に求心的に働き、核心をエネルギー豊かにし、質量を増す。
2005058204.tif 000003
これにより、凍結され、春化処理された場合及び充分に乾燥され、保存された場合等に、種子が充実して、活性が向上することが説明される。
さらに吸着の引力は、レーザー引力であって、強力であり、単一引力で水のみを引き、干渉性をもつ。
生物体は、その構成する高分子や、遺伝力、進化性等々干渉作用をうけて、形の変化や、波形、特性の獲得と保持等に係わっている。
種子を、うすい食塩水に浸種したり洗種すると、きわ立った効果が発生するのは、種皮についたよごれや蝋状物質が、水よりも溶出しやすいことがある。
またＮａｃｌは結晶が立方形で、１原子が６連結糸で６原子と結合している。
他方、水素吸着水Ｈ３Ｏ（Ｈ２Ｏ）ｎは、積乱雲の成分であり、雪の仮晶体は、この結晶物としてＨ３Ｏ（Ｈ２Ｏ）６であり、結晶形が６分子を連結する点で共通しており、食塩が水素吸着水の生成を助長して、つくりやすくしている。  また
吸着の引力は、レーザー引力で、より大きな機構や、類似したものに、より顕著に干渉する。
(57)【要約】【課題】観賞魚用水槽のエアーリフト式濾過器において、水槽内の美的効果と水槽内を広く使用できるようにし、さらに濾過効率を高める観賞魚用水槽の濾過器を提供する。【解決手段】濾過材を入れた濾過室を、観賞魚用水槽の開口部に設置、又は設置できるようにし、濾過室の上部に設ける蓋にエアーリフト用の気泡を発生させるエアーストーンを構成し、水槽の底面に設置する水草用鉢に、エアーストーンで発生させた気泡を通すパイプを設け、水草鉢に設けた気泡誘導パイプの中にエアーストーンを設置し、濾過室の蓋に取りつけたエアーストーンと水草鉢に設けた気泡誘導パイプで水槽の下部の水を濾過室まで汲み上げ、濾過室内に入れた濾過材を通して濾過し、濾過した水を水槽内にもどす。【選択図】図１
2005058201.tif 000002
【特許請求の範囲】
【請求項１】
観賞魚用水槽のエアーリフト式濾過器で、濾過室を水槽の上部開口部に設置、又は設置できるようにし、濾過室の上部に設ける蓋にエアーリフト用の気泡を発生させるエアーストーンを構成し、水槽の底面に設置する水草用鉢に、エアーストーンで発生させた気泡を通す気泡誘導パイプを設け、水草鉢に設けた気泡誘導パイプの中にエアーストーンを設置し、濾過室の蓋に取りつけたエアーストーンと水草鉢に設けたパイプで水槽の下部の水を濾過室までエアーリフト効果で汲み上げ、濾過室内に入れる濾過材を通して濾過し、濾過した水を水槽内にもどすエアーリフト式濾過器で、水槽の上部に設置した濾過材入り濾過室で水槽内の水を濾過することを特長とした観賞魚用水槽の濾過器。
【請求項２】
請求項１の観賞魚用の濾過器において、水槽の底面に設置する水草鉢に濾過材を入れられる濾過室を設け、水槽の上部に設置した濾過器と、水槽の底面に設置した水草鉢に設けた濾過室で、水槽の上部と底面部で水槽内の水を濾過することを特長とした観賞魚用水槽の濾過器。
【請求項３】
請求項１の観賞魚用濾過器において、水草鉢を底面濾過室にし、水槽の上部と下部で水を濾過することを特長とした観賞魚用水槽の濾過器。
【発明の詳細な説明】
【発明の詳細な説明】
【０００１】本発明は、観賞魚用水槽のエアーリフト式濾過器で、濾過室を水槽の上部開口部に設置、または設置できるようにし、濾過室の上部に設ける蓋にエアーリフト用の気泡を発生させるエアーストーンを構成し、水槽の底面に設置する水草用鉢に、エアーストーンで発生させた気泡を通す気泡誘導パイプを設け、水草鉢に設けた気泡誘導パイプの中にエアーストーンを設置し、濾過室の蓋に設けたエアーストーンと水草鉢に設けた気泡誘導パイプで水槽の下部の水を濾過室までエアーリフト効果で汲み上げ、濾過室内に入れた濾過材を通して濾過し、濾過した水を水槽内にもどし水槽内の水を濾過する。
【０００２】さらに、水槽の底面に設置する水草鉢に濾過材を入れられる濾過室を設け、水槽の上部に設置した濾過器と、水槽の底面に設置した水草鉢の中に入れた濾過材で、水槽上部と底面部で水槽内の水を濾過出来るようにする。
【０００３】さらに、水槽の底面に気泡誘導パイプを取りつけた濾過器を設置し、水槽内の上部と下部で水を濾過することを特長とした観賞魚用水槽の濾過器。
【０００４】従来、エアーリフト式濾過器は水槽内の底面に設置し使用しているが、水槽内の美観を損ねると共にじゃまであった。
【０００５】本発明は、濾過室を水槽の上部に設置することにより、水槽内が広く使えさらに美観が保たれる。
【０００６】さらに、エアーリフトで汲み上げた水を濾過室の濾過材で受けるため、魚の糞ややゴミを確実に受け取ることが出来る。
【０００７】さらに、水槽の底面に濾過室を設置することにより、濾過効率を高める。
【図面の簡単な説明】
【図１】図１は、本発明の観賞魚用水槽の濾過器で、実施例の一例を示す概略的な断面図である。
【図２】図２は、本発明の観賞魚用水槽の濾過器で、水槽に設置した使用例を示す概略的な正面図である。
【図３】図３は、本発明の観賞魚用水槽の濾過器で、水草鉢に濾過材を入れる濾過室を設けた実施例の一例を示す概略的な断面図である。
【図４】図４は、本発明の観賞魚用水槽の濾過器で、水槽の底面に設置する濾過室に気泡誘導パイプを設けた実施例の一例を示す概略的な断面図である。
【符号の説明】
１濾過器
２濾過室
３蓋
４エアーチューブ
５水草鉢
６気泡誘導パイプ
７エアーストーン
８空気孔
９エアーポンプへ
１０濾過水放出孔
１１水槽
１２気泡
１３水草植込スペース
１４水草
【図１】
2005058201.tif 000003
【図２】
2005058201.tif 000004
【図３】
2005058201.tif 000005
【図４】
2005058201.tif 000006
(57)【要約】      （修正有）【課題】数字選択式くじ券の当選番号を照会、確認するための機能を設け、くじ券を保護するくじ当選番号確認表付き保護袋を提供する。【解決手段】袋１の背面部２を上方に突出させ、袋の前面部３に窓穴４を設け、窓穴の上方に当選番号を記入する記入表ａ５と窓穴の下方に当選の有無を記入する記入表ｂ６を設けたことを特徴とする。【選択図】図１
2005058696.tif 000002
【特許請求の範囲】
【請求項１】
袋の背面部を上方に突出させ、袋の前面部に窓穴を設け、窓穴の上方にくじの当選番号を記入する記入表と窓穴下方に当選の有無を記入する記入表を設けたことを特徴とするくじ当選確認表付き保護袋。
【発明の詳細な説明】
【技術分野】
【０００１】  本発明は、数字選択式くじ券の申し込み番号を窓穴から表示させ、当選の有無を記入することができるくじ当選確認表付き保護袋に関するものである。
【背景技術】
【０００２】  従来、くじの当選番号を自分で確認する際は、新聞等に発表された当選番号の側に購入したくじ券を近づけ照会、確認するのが一般的であり、当選番号を自分で照会、確認でき、くじ券を保護するための発明品はなかった。
【発明の開示】
【発明が解決しようとする課題】
【０００３】  数字選択式くじは、申し込み数字の印字の間隔が狭く見ずらいため、誤確認をする恐れがあった。また、くじ券を汚したり傷をつけたりした時は、当選金を受け取れないことがあるという規則のため、自分で当選番号を照会、確認する時はどの申し込み数字が当選したのか、直接くじ券に当選の有無のしるしをつけることができず、くじ券が複数枚ある場合や後日、どのくじ券が当選したものであるかわからなくなり、たいへん不便であった。また、数字選択式くじは、通常の宝くじよりも小さく、保管にも気を使わなければならなかった。
【課題を解決するための手段】
【０００４】  袋の背面部を上方に突出させ、袋の前面部の一部に窓穴を設ける。その窓穴の上方に発表された当選番号を記入する記入表ａと窓穴の下方に当選の有無を記入する記入表ｂを設ける。以上を特徴とするくじ当選確認表付き保護袋である。
【発明の効果】
【０００５】  袋前面部にある窓穴に申し込み数字の１列のみを表示できるので誤確認を防ぐことができる。また、くじ券に汚れや傷をつけることなく当選番号を照会、確認でき更に当選の有無のしるしをつけた表を見ることにより、即座に当選等級がわかる。
数字選択式くじの当選確認をゲーム感覚で楽しく正確にでき、更にくじ券を保護できるため、楽しみが増え便利になる。また、素材も紙など安価なもので実施できるため大量生産に適し、くじ券販売店の販売促進にも大いに役立てることができる。
【発明を実施するための最良の形態】
【０００６】  以下、本発明の実施の形態について説明する。
（イ）袋（１）の背面部（２）は上方に突出させている。
（ロ）袋（１）の前面部（３）に設けた横長の窓穴（４）はくじ券を袋（１）の底まで挿入した際、くじ券の申し込み数字が最上列の１列のみ表示できる位置とし、袋（１）の底縁と平行して水平状に設けられている。
（ハ）窓穴（４）の上方に発表された当選番号を記入する記入表ａ（５）は、発表された当選番号の数字を横一列に記入できるよう設ける。
（ニ）窓穴（４）の下方に当選の有無を記入する記入表ｂ（６）は、縦に５列の碁盤目状に設け、数字選択式くじ券の申し込み数字が印字されている列の色と同じ色を記入表ｂ（６）の横の列ごとに配色し、上から順に列の番号を記入する。
（ホ）素材は紙など容易にペン等で当選番号や当選の有無を記入できるものとする。
本発明は、以上の構成でこれを使用するときは、発表された当選番号を記入表ａ（５）にペン等で各々記入し、袋（１）の背面部（２）と前面部（３）の間にくじ券を袋（１）の底まで挿入し、横長の窓穴（４）にくじ券の申し込み数字の最上列１列のみを表示させる。
記入表ａ（５）に記入した当選番号と窓穴（４）に表示されている数字を照会し、記入表ｂ（６）の最上列に当選の有無のしるしを横に順に記入していく。また、次の列を照会する際は、くじ券を上方に引っ張り上げ次の列を表示させていく。そして、窓穴（４）に表示されている列の色と、同じ色の記入表ｂ（６）の列に当選の有無のしるしを記入していく。したがって、当選等級を確認したいときは、記入表ｂ（６）の横１列に記入された当選のしるしを数えることにより簡単に確認することができる。そして、くじ券は当選番号を照会する状態のまま保管でき、汚れや傷から保護することができる。
【実施例１】
【０００７】  図２に示すように、袋（１）の背面部（２）の左端面（７）に谷折り線、右端面（８）に山折り線、更に挿入しているくじ券が折れ曲がらないよう、背面部（２）の任意の場所に横に谷折り線を印刷し、折り線の通りに折り曲げて窓穴（４）の中に背面部（２）の上部を差し込み固定しても良い。また、図４で示した状態で右端面（８）を指でつまみ引き上げると、窓穴（４）から、差し込んだ背面部（２）を容易にはずすことができ、より一層便利にくじ券を保護することができる。
【図面の簡単な説明】
【０００８】
【図１】  本発明の基本構成説明図（平面視）
【図２】  本発明実施例の正面図
【図３】  本発明実施例の折り畳み説明図（背面部を垂直に立ち上げた状態）
【図４】  本発明実施例の背面部差し込み状態図
【図５】  くじ券の正面図
【図６】  本発明の使用状態説明図
【符号の説明】
【０００９】  １  袋本体
２  背面部
３  前面部
４  窓穴
５  記入表ａ
６  記入表ｂ
７  左端面
８  右端面
９  くじ券
【図１】
2005058696.tif 000003
【図２】
2005058696.tif 000004
【図３】
2005058696.tif 000005
【図４】
2005058696.tif 000006
【図５】
2005058696.tif 000007
【図６】
2005058696.tif 000008
(57)【要約】【課題】  必然的に携行でき必要な時には必ず手元にあるべきパスポートの入れ物としてのパスポートカバーに構成された時差時刻の簡易早わかり時差シールの発明。更に、すぐ簡単に使えてオシャレでファッション性も有り  製造コストの低い便利な使用頻度の高いもの。【解決手段】  時差時間の発生する時には必ず所持しているべきパスポートのカバーの一部に簡単に切り離して使える本発明品の時差シールを具備する事。そしてその素材は透明又は半透明なシートだけではなくカラーシート、カラー印刷、或いは柄付シート等で構成すれば見た目にもオシャレでファッション性も高められる。【選択図】  図１
2005058692.tif 000002
【特許請求の範囲】
【請求項１】
塩化ビニール等、  透明又は半透明のビニール素材で構成された、パスポート等の表紙を挟んで使うパスポートカバーの一部を  腕時計のガラスカバーより一回り小さめに切り抜いて  その一部を使用時まで外れないように切り残したもので  その切抜きの部分に時計の文字盤配列を印刷したもの。
【請求項２】
上記請求項１の切り抜きの形において円形ではなく多角形、星型、リング状或いは脱着しやすいように腕時計のガラスカバーから少しはみ出す程度の突起型を設けたもの。
【発明の詳細な説明】
【技術分野】
【００１】  この発明は塩化ビニール等のビニール素材などでできたパスポート等を入れるパスポートカバーの一部を  おおよそ腕時計のガラスカバーより一回り小さ目に切り抜いてその一部を使用時まで外れないように切り残したものでこの切抜き部分に  時計の文字盤配列を印刷したものである。
外国等  時差のある所へ行った時には必ず所持しているパスポートを入れておくケース又はカバーの一部に具備された、切り抜き部分の時差シールを切り離して腕時計のガラスカバーの表面に  時差の分だけ時計本体の文字盤とずらして貼付して使用するもので  塩化ビニール等の薄いシートは指で丁寧に押さえつけるとピッタリとガラス等の表面に密着する。
時差時間を読み取る時は  時計本体の時針と  時差分ずらせて貼られた  切り抜き部分である時差シールの文字盤配列を読み取り  分、秒は時計本体の分針、秒針を読み取る。
即ち、時計本体の文字盤表示を読み取ると元々の時刻であり  貼りあわせた本発明品の時差シールの文字盤表示を読み取れば時差のある現地の時差時刻を読み取る事ができる。
更に商品性を高めるために切り抜き部分の形を円形ではなく多角形、星型、リング状、或いは  脱着しやすいように腕時計のガラスカバーから少しはみ出す程度の突起型を設けたものや、パスポートカバー本体の素材を  透明又は半透明の  カラーシートや柄付シートの素材を使用したりカラー印刷によって構成すれば  ファッション性や宣伝効果を一層高められて視認性も良くなる。
【背景技術】
【００２】従来は時差のある所へ赴いた時には  頭の中でプラス、マイナスしたりして現地の時差時刻を計算するか、又は始めから時計そのものの針をずらせて時差時刻に合わせたりしていたが、いずれも頭の中の計算は意外と誤解があったり又、時計そのものの針を時差分ずらせたりすると結構  混乱が生じてよく間違えたものである。
特に不慣れな観光客などの場合は時差分ずらせるときも、又針を元へ戻す時にも混乱がよくあった。そのため構造的に一個の時計に二組の時計を構成したものや  時計本体の外側に回転式のリング状の文字盤を組み込んだもの等があるが  いずれも大変高価になる。  又重量が重くなるなど基本的な短所も多い。
【発明の開示】
【発明が解決しようとする課題】
【００３】  外国へ赴いた時には必ずパスポートを所持している。  そしてそうした時の殆どに時差が発生する。特に不慣れな観光客等の場合は集合時刻や交通機関のアクセスの度に  時差時間に対して過剰なほどに神経質になる事が多いので必然的に携行できて必要な時には必ず手元にあって簡単に使える時差時刻の簡易早わかり時差シールの考案。  できれば消耗品的な要素も強いので大量生産に向いた製造コストのあまり掛からないもの。しかも併せて広告媒体として使用頻度も  宣伝効果も充分に高い、見た目にもオシャレなファッション性の豊かなものが要求されていた。
【課題を解決するための手段】
【００４】  こういった課題を解決するため、時差が発生する時には必ず所持されているべきパスポートの入れ物としてのビニールカバーあるいはケースの一部に指先で簡単に切り離して使える時計の文字盤表示を印刷したものである。
【発明の効果】
【００５】  本発明品の時差シールを使用する事によって  時計本体の針を動かす必要がなくなるので  針そのものを動かす事によって生じる、元の時刻と変更後の時差時刻との混同がなくなる。
又、本発明品の時差シールの使用前は、針そのものを動かせているという事の認識すらも忘れて  無意識に誤った時刻を読み取ったりする事も少なくなかった。
更に本発明品は塩化ビニール等の密着性の良い素材によって構成されているので  必要でなくなれば簡単に時計本体から取り外す事ができ、又不要な時はパスポートカバーの表紙の差込部分に貼り付けておけば何回でも使用する事が可能である。
元々、多くの旅行客の場合が旅行会社からサービス品として提供された社名宣伝入りのパスポートカバーを使用する事が多く  そのパスポートカバーの一部を  加工処理する事で本発明品が完成するので製造原価を殆ど変えずに利用価値、宜伝効果を充分に高める事ができる。
【図面の簡単な説明】
【００６】
【図１】    本発明品の全体図
【図２】    本発明品の主要部品の正面図
【図３】    本発明品の実施例  １
【図４】    本発明品の実施例  ２
【図１】
2005058692.tif 000003
【図２】
2005058692.tif 000004
【図３】
2005058692.tif 000005
【図４】
2005058692.tif 000006
(57)【要約】【課題】  簡単な構造で、焼肉などの焼け具合や、焼けやすいものと焼けにくいものを区別して設置できるバーベキュー網を提供する。【解決手段】  バーベキュー用の金網において、複数の金網を連結材を介して連結し、連結部で折りたたみ可能とすると共に、熱源からの距離を適度に調節可能として、焼き物を最適な焼け具合にすることのできるバーベキュー用金網。【選択図】  図１
2005058686.tif 000002
【特許請求の範囲】
【請求項１】
バーベキュー用の金網において、複数の金網を連結材を介して連結し、連結部で折りたたみ可能とすると共に、熱源からの距離を適度に調節可能として、焼き物を最適な焼け具合にすることのできることを特徴とするバーベキュー用金網。
【発明の詳細な説明】
【発明の詳細な説明】
【技術分野】
【０００１】  本発明は、焼肉などのバーベキューに使用する金網に関するものである。
【背景技術】
【０００２】  特開２００２−２２１７２号公報【０００３】  従来、焼網を上下動する上記従来技術等はあったが、構造が複雑で、高価なものであり、手軽に野外におけるバーベキューには適さないものであった。
【発明が解決しようとする課題】
【０００４】  本発明は、極めて簡単な構造で、焼肉などの焼け具合や、焼けやすいものと焼けにくいものを区別して設置できるバーベキュー網を提供する事を目的とし、しかも、収納が容易で、かつ、収納場所を取らない、安価なバーベキュー網を提供することを目的とするものである。
【課題を解決するための手段】
【０００５】  バーベキュー用の金網において、複数の金網を連結材を介して連結し、連結部で折りたたみ可能とすると共に、熱源からの距離を適度に調節可能として、焼き物を最適な焼け具合にすることのできるバーベキュー用金網である。
【０００６】  この発明に使用される金網は、通常の焼肉などに使用される目合、ほぼ１ｃｍ程度の目合いを有するものが使用でき、この金網を複数枚折りたたみ可能な連結材、例えば、リング状の輪とか、コイル状の線材を金網の両端の耳部分に挿入して連結するなどの手段で連結する。
【０００７】  また、金網は最小単位として、ほぼ同じ大きさの２枚の金網を使用する。２枚を合せた大きさは、バーベキューの熱源の大きさよりやや大きめとし、熱源を覆う形とし、熱源の形に合せ、角型、丸型等適宜の形状が選択できる。この２枚の金網を、熱源上に適宜の距離を置いて設置し、この上に肉や野菜などの焼き物を載置してバーベキューを行う。焼き物がある程度焼き上がった段階で、金網の相対抗する両端を内側に押して、側面視三角形の形状とすれば、熱願からの距離が不均一となり、焼き物の焼け具合に差ができ、適度の焼け具合に調節できる。また、この側面視三角形状は最初からこの形状としておくこともできる。これにより、焼けやすいものと焼けにくいものを最初から区別して載置する事で、食品（焼き物）ごとに適度な焼け具合を調節する。
【０００８】  金網は上記の２枚に限らず３枚、４枚と連結することも有効であり、例えば、３枚の金網を直線的に上記の方法手段を用いて連結し、３枚の中央部を両側の網で押し上げるように支え、側面視台形にするようなこともできる。また、中央にやや小さ目の四角な金網を使用し（この場合金網は５枚を組み合わせることになる）、その各辺に別の金網をそれぞれ連結し、側面視、角錐台形状とすることもできる。この場合、各辺に連結する金網を台形形状とすることも有効である。
これらの金網は、リング状やコイル状の連結材で連結されているので、それぞれ、これらを折りたたみ、コンパクトに収容する事ができ、持ち運びが容易で、場所を取らず、野外などで使用する場合極めて便利である。
【実施例】
【０００９】  本発明を、更に詳細に、図面に示した実施例について説明する。
本発明のバーベキュー網Ａの金網１は最小単位として、ほぼ同じ大きさの２枚の金網１の一辺をリング状の連結材３を用いて、金網の接続辺の端部の一目を交互にリング状の連結材３により、縫合するように連結する。２枚を合せた大きさは、バーベキューの熱源２の大きさより大きめとし、熱源２を覆う形とし、熱源２の形に合せ、角型とする。この２枚の金網１を、熱源２上に適宜の距離を置いて設置し、この上に肉や野菜などの焼き物を載置してバーベキューを行う。焼き物がある程度焼き上がった段階で、金網１の相対抗する両端を内側に押して、連結した金網１、１の両端部に、金網１を貫通してコンロ４の側面へ固定するストッパー５を挿入しバーベキュー網Ａを固定する。こうすると、バーベキュー網Ａは、側面視三角形の形状となり、このバーベキュー網Ａの中央部分と辺縁部とは、熱願２からの距離が不均一となり、焼き物の焼け具合に差ができ、適度の焼け具合に調節できる。また、このバーベキュー網Ａの側面視三角形状は最初からこの形状としておくこともできる。これにより、焼けやすいものと焼けにくいものを最初から区別して載置する事で、食品（焼き物）ごとに適度な焼け具合を調節する。【００１０】  他の実施例として図示しないが、金網を３枚連結するものや、５枚連結することも可能で、こうすることにより、上記の実施例に比較し、中央部にフラットな面を形成することができ、より焼き物が安定する。即ち、３枚の金網１を直線的に上記のリング状連結材３を用いて連結し、３枚の中央部を両側の金網１、１で押し上げるように支え、側面視台形にするようなこともできる。また、中央にやや小さ目の四角な金網１を使用し（この場合金網１は５枚を組み合わせることになる）、その各辺に別の金網１をそれぞれ連結し、側面視、角錐台形状とすることもできる。この場合、各辺に連結する金網１を台形形状とすることも有効である。
また、熱源からの距離を調節するために、上記実施例では、コンロに設けたストッパーを使用したが、これに限らず、コンロの縁に突起を設けるとか、曲折させた金網どうしを一定の角度に固定する角度調節棒を両側の金網に引っ掛けて（角度調節棒の両端を曲折させるなどして）角度を調節し、金網の熱願からの距離を調節することもできる。
【発明の効果】
【００１１】    本発明は、極めて簡単な構造で、焼肉などの焼け具合や、焼けやすいものと焼けにくいものを区別して設置できるバーベキュー網を提供する事を目的とし、しかも、収納が容易で、かつ、収納場所を取らない、安価なバーベキュー網を提供することができた。
【図面の簡単な説明】
【図１】  本発明の実施態様を示す斜視図である。
【符号の説明】
１・・・金網、３・・・連結材、
【図１】
2005058686.tif 000003
(57)【要約】【課題】従来の脚踏み台では、凸凹で足裏を刺激するものですが、凸凹の直接刺激で痛みを感じることが多く、刺激すぎる部分と刺激されていない部分を生じ、気持もよくはなく、毎日の健康維持に使用することが難しい。【解決手段】上記問題を解決するために足底摩擦部分を全体高くし、また土踏まずの部分を摩擦できるように更に隆起する。板の表面を凸凹せずに、滑りやすく、足全体のツボを軽く気持よく擦れるようにする。【選択図】図３
2005058683.tif 000002
【特許請求の範囲】
【請求項１】
足底を擦る板の中間部を摩擦できるように隆起する。
【請求項２】
土踏まずの部分を擦れるように更に隆起する。
【請求項３】
隆起する部分を滑らかにする。
【請求項４】
擦る板に小穴を開け、漢方草を埋める。
【請求項５】
擦る板を漢方湯に煮込む。
【発明の詳細な説明】
【技術分野】
【０００１】本発明は、足裏全体を軽く擦れるように、摩擦による足裏ツボ刺激、発熱を図るものに関する。
【背景技術】
【０００２】従来の脚踏み台には、凸凹で足裏を刺激する物がある。
【発明の開示】
【発明が解決しようとする課題】
【０００３】従来の脚踏み台では、凸凹の表面構造で足裏を刺激するものですが、凸凹の直接刺激で痛みを感じることが多く、毎日の健康維持に使用することが難しい。【０００４】凸凹の表面構造で皮膚と接触する部分を一箇所に固定しやすく、摩擦が起き難いため血流促進や温度上昇効果を生じない。【０００５】凸凹の表面構造で刺激すぎる部分と刺激されていない部分を生じ、足全体に均等な刺激を得られない。
【課題を解決するための手段】
【０００６】本発明は上記目的達成するために足底摩擦部分を全体高くし、また土踏まずの部分を摩擦できるように更に隆起し、足裏全体を均等に刺激することができる。【０００７】板の表面を凸凹せずに、滑りやすくし、足全体のツボを軽く気持よく刺激することができる。【０００８】摩擦による足温度の上昇や血流促進効果も期待できる。【０００９】板の擦られる部分に小穴を開け、足を暖める漢方草を装填し、温度、血流効果を増し、冷え性や血流の悪い方に適する。【００１０】板を漢方湯に煮込み、漢方が板に浸透され、漢方草が足裏から作用することができる。
【発明の効果】
【００１１】板の擦られる部分が全体隆起するため従来の表面凸凹脚踏み台より足全体を均等に刺激され、痛みを感じなく、板の表面が滑りやすくなっているため、足全体の反射区（ツボ）を随意に擦れ、気持よく刺激することが出来る。足で擦るため足や腿の筋肉が増強され、摩擦による温度の上昇や血流促進効果も期待でき、また板に漢方を装填するため漢方が足末梢血管から作用することが出来る。毎日足を暖かくし、気持よく、リラックス気分で健康維持に使用する事が出来る。
【発明の実施するための最良の形態】
【００１２】以下本発明の実施の形態を図１〜図２に基づいて説明する。
【００１３】図においては、３は平面の板本体である。２は本体３の上に取り付けた足全体を擦る部分である。２は足底と摩擦できるよう滑らかに隆起するものである。１は足の土踏まずを摩擦出来るように２の上に更に隆起するものである。４は漢方粉を装填のため１と２に開けた多数の小穴である。
【００１４】更に漢方の効果を発揮するため足裏と接触する部分１と２を漢方湯に煮込んだ後、本体３に取り付ける。
【実施例】
【００１５】本発明の実施により足全体のツボを随意に擦れ、刺激することが出来る。また足や腿の筋肉を増強される、摩擦による足の温度の上昇や血流の促進、気持よく、リラックス気分で使えることを数多く確認された。
【産業上の利用可能性】
【００１６】本発明は滑らかな隆起する板の上に足裏で擦り、ツボに摩擦刺激するものである。摩擦による足温度の上昇や血流促進や末梢血管の拡張や静脈の回流促進や老廃物の代謝など効果を期待できる。また足で擦るため足や腿の筋肉も増強され、その上漢方の装填による漢方の作用も発揮できる。
また凸凹しないため、痛みを感じなく、板の表面が滑りやすくなっているため、足全体の反射区（ツボ）を随意に擦れ、刺激することが出来る。毎日足を暖かくし、気持よく、リラックス気分で健康維持に使用する事が出来るし、軽いため携帯に便利、お土産にも最適する。年寄から冷え性、肥満、血流の悪い方にも適用するものである。
【図面の簡単な説明】
【００１７】
【図１】本発明の実施形態を示す足底摩擦板の断面図
【図２】同足底摩擦板の正面から見た外観図
【図３】同足底摩擦板の前面から見た外観図
【符号の説明】
【００１８】１  平面の板本体。
２  足底と摩擦できるよう滑らかに隆起する部分。
３  足の土踏まずを摩擦出来るように更に隆起する部分。
４  漢方を装填する小穴。
【図１】
2005058683.tif 000003
【図２】
2005058683.tif 000004
【図３】
2005058683.tif 000005
(57)【要約】【課題】食器洗い等に用いるスポンジのたぐいは、手にフィットせずすべりやすいし、使用しにくかった。【解決手段】スポンジのたぐいに角度を設ける。角度は４５°〜１３５°の範囲で、用途に合わせ、角度を設けてもよい。【選択図】図１
2005058681.tif 000002
【特許請求の範囲】
【請求項１】
食器洗い等のスポンジのたぐいに、角度をつけたことを特徴とする。
【請求項２】
前期角度は４５°〜１３５°の範囲で角度をつけたことを特徴とする。請求項１記載の食器洗い等のスポンジのたぐい。
【発明の詳細な説明】
【技術分野】
【０００１】この発明は食器洗い等に用いるスポンジのたぐいの形状に関する。
【背景技術】
【０００２】従来の食器洗い等のスポンジのたぐいの形状は、図２に示すように平面であります。
【発明の開示】
【発明が解決しようとする課題】
【０００３】しかしながら、以上の技術によれば手にフィットせず、すべりやすく洗いにくい。
そこで、この発明は、手にフィットし、グラスの口、皿のふちなどが、とても洗いやすいものを提供することを課題とする。
【課題を解決するための手段】
【０００４】以上の課題を解決すえるために第一発明は、スポンジに角度をつけたことを特徴とする食器洗い等のスポンジのたぐいである。
【発明の効果】
【０００５】第一発明によれば、スポンジに角度を設けたことで持ちやすく食器等が洗いやすい。
【発明を実施するための最良の形態】
【０００６】この発明の一実施形態を図１に示す。
食器洗い等の本体はスポンジのたぐいであり、Ｌ字型の角度がつけられています。【０００７】この実施形態によれば、Ｌ字型の角度の働きで手に持った時フィット感があります。従って、スポンジを持ちやすく、角度があるので、グラスの口、皿のふち等も洗いやすい。食器・グラスが割れていた時など手に傷をつけにくい。【０００８】図１の実施形態では、Ｌ字型のスポンジであったが、他の実施形態では、角度、大きさは用途に合わせたもので良い。
【図面の簡単な説明】
【０００９】
【図１】この発明の一実施形態を示す斜視図である。
【図２】従来技術を示す斜視図である。
【符号の説明】
【００１０】１  スポンジ本体
２  角度部分
【図１】
2005058681.tif 000003
【図２】
2005058681.tif 000004
(57)【要約】【課題】  従来のコースタでは、結露により底にたまる水滴吸収、またはテーブル等の汚れを防止するものや水滴吸収を目的とするコースタにあってはほとんどが紙製で使い捨てである。【解決手段】  吸収性スポンジをコップ等の下部に装着することで、結露による水滴の落下を防止し、テーブル及び衣服等の汚れを防止する。また絞るだけで繰り返し使用できる安価なコースタを提供する。【選択図】  図１、
2005058684.tif 000002
【特許請求の範囲】
【請求項１】
吸水性スポンジをつかったコースタ。
【請求項２】
コップ等の下部に取付けることを、特徴とするコースタ。
【請求項３】
リング状又はデザインを施した（花型、星型など）請求項１，２に記載のコースタ。
【請求項４】
収縮性のある、請求項１、２に記載のコースタ。
【請求項５】
しぼるだけで何回も繰り返し使える、請求項１、２に記載のコースタ。
【請求項６】
洗濯ができる、請求項１、２に記載のコースタ。
【発明の詳細な説明】
【技術分野】
【０００１】  本発明は、コップ等の表面に結露した水滴を吸収し、また落下防止を図ったコースタに関する。
【背景技術】
【０００２】  従来のコースタは、ほとんどがコップ等の置き敷きのもので、一般的に木製、紙製、布製、合成樹脂等の材質が知られている。また結露による水滴吸収を目的とするものがある。
【発明の開示】
【発明が解決しようとする課題】
【０００３】  以上に述べた従来のコースタは、ほとんどがコップ等の置き敷きのもので結露により底にたまる水滴吸収、または結露による水滴でテーブル等の汚れを防止目的であった。冷たい飲み物を口に運ぶときコップが傾斜する、そのときに落下する水滴は防止できない。水滴吸収を目的とするコースタであってもほとんどが紙製であって使い捨てである。
【発明を解決するための手段】
【０００４】  本発明は、吸収性スポンジを下部に装着することで、従来のコースタの抱える課題の、結露による水滴の落下によりテーブルや衣服等が汚れる不快感を効果的に防止することを目的とし、又容易に装着ならびに取り外しができ、繰り返し使用できるコースタを実現することを目的とする。
【発明の効果】
【０００５】  本発明によれば、吸収性スポンジを使用することで収縮しコップ等との密着に優れ、冷たい飲み物を口に運ぶとき、結露によりできる水滴を効果的に吸収し、テーブル及び衣服を汚すなどの不快感をなくすものである。
【発明を実施するための最良の形態】
【０００６】  以下、本発明の実施形態を図１〜図６に基づいて説明する。
【実施例】
【０００７】  図１は、飲み物の中にたくさんの氷を入れたコップの下部に吸水性スポンジをリング状に装着したもので、氷を補充しながら２時間以上テーブルの上に置いておいた。結果、結露による水滴は本発明のコースタにより完全に吸収され、又コップの底部も濡れることはなかった。【０００８】  また図２に示すように、飲み物を口に運ぶときに結露による水滴が流れても本発明のコースタにより、水滴は完全に吸収された。【０００９】  図３は、本発明のコースタの吸収力を測った結果、上部から見た図で、厚さ５ｍｍ、幅１０ｍｍ程度のコースタで、２時間３０分から３時間水滴を吸収することが解った。（飽和状態になった。）【０００９】  図４は、飽和状態になった本発明のコースタを手で絞り、上記と同じ方法で試したところ、２時間程度水滴を吸収し続けた。
【産業上の利用可能性】
【００１０】  以上の実施例から解るように、本発明は今までのコースタの抱える問題点を解決し、さらにローコストで提供できるものである
【図面の簡単な説明】
【００１１】
【図１】  本発明の実施形態を示す側面図
【図２】  同傾斜図
【図３】  同上部図
【図４】  同取り外し絞った図
【図５】  同デザイン化した傾斜図
【図６】  同デザイン化した上部図
【符号の説明】
【００１２】    １…コップ
２…スポンジコースタ
３…氷
４…結露による水滴
５…水
２−Ａ…絞ったスポンジコースタ
２−１…デザイン化したスポンジコースタ
【図１】
2005058684.tif 000003
【図２】
2005058684.tif 000004
【図３】
2005058684.tif 000005
【図４】
2005058684.tif 000006
【図５】
2005058684.tif 000007
【図６】
2005058684.tif 000008
(57)【要約】【課題】その人の症状に合わせた腰痛克服器が今まで無い、体操だと痛みや疲労が伴い継続が困難です、バンド（腰回り）ですと付けている時は気にならないがほんとの意味で腰痛克服にはならない。指圧やカイロプラスティックは毎日行くのが困難（経費また時間）マッサージ器は症状に合わせるのが難しい。【解決手段】高さ傾きなどが調整でき自動タイプも有る、そこでこのような腰痛克服器を使うことで人それぞれの症状に合わせて使うことが出来るので快適。【選択図】図１
2005058690.tif 000002
【特許請求の範囲】
【請求項１】
背骨を前後に伸ばして腰痛を治す器械。
【発明の詳細な説明】
【発明の詳細の説明】
【００１】背骨から台の上に乗り凝り具合により背骨の倒しを微調整出来るようにします。その人の体調や身長に合わせて足が付くようにしたり足が浮くようにしたり高さも調整出来るようにします。
バイブレイター機能を付けマッサージ器の替わりもしますそれとタイマー式にして（１５秒〜５分など）その時好みの音楽が流れるようにします。
背骨の傾き具合は使用中でも調整が出来るタイプと自動式の２種類が有ります。
尚手動式も自動式も立ち上がる時は上部の取っ手をつかみ起き上がるようにします。腰痛は無理の無い背骨の前と後ろの動作が必要な為、使用前後（器械を使用し背骨を後ろに伸ばす作業が使用中）に背骨を前に傾ける作業が必要になる、そこで使用前後に前に有るロープまたはサイドの取っ手、奥にある取っ手をその人の症状によって使い分け数秒または数分メロディータイマーを使って背骨を前に傾ける作業をする。
自動式では始め低い位置で乗り器械に加重が加わると自動的に上がり背骨が倒れ時間が来ると背骨が持ち上がり低い位置に下がる。
【背景技術】
【００２】半円上固定タイプ、布せいのソファーベトタイプで上下に腰を移動させるタイプなどが有りましたがどれも症状に合わせたものでは無く実用性が無かった。
【発明の効果】
【００３】人それぞれの症状に合わせて背骨の傾きが調整出来るので無理なく使用可能高さ調整やメロディー付きのタイマーやバイブレイターがあるので快適。
【図面の簡単な説明】
【図１】斜視図です
【図２】高くした斜視図です
【図３】正面の斜視図です
【図４】上面図です
【符号の説明】
（１）腰痛克服器
（２）ロープ
（３）サイドの取っ手
（４）奥の取って
（５）機能表示スイッチ
（６）足を支えるマット
（７）腰を支えるマット
（８）移動可能な背骨を支えるマット
（９）伸び縮みする
（１０）上部の取っ手
【図１】
2005058690.tif 000003
【図２】
2005058690.tif 000004
【図３】
2005058690.tif 000005
【図４】
2005058690.tif 000006
(57)【要約】【目的】    本発明は人工股関節置換術後の脱臼予防のための着脱容易な，軟性股関節装具を提供することにある。【構成】    腰，大腿部及び膝の３箇所に強く巻きつける３本のバンドと，伸縮性のある２本のストラップからなる軟性股関節装具【選択図】  図１
2005058687.tif 000002
【特許請求の範囲】
【請求項１】
腰，大腿部および膝の３箇所に強く巻き付ける３本のバンドと，伸縮性のある２本のストラップを”Ｚ”のように交差させて固定する事により，人工股関節置換術後の脱臼を予防する軟性股関節装具
【請求項２】
腰に巻きつけるバンドには、大転子の位置に衝撃吸収性のある発泡体が内臓された請求項１の脱臼予防用軟性股関節装具
【請求項３】
請求項１の伸縮性のあるストラップの代わりに無伸縮のストラップを使用して，過度な旋回を予防する脱臼予防用軟性股関節装具
【発明の詳細な説明】
【発明の詳細な説明】
【発明が属する技術分野】
【０００１】  本発明は，人工股関節置換術後の脱臼予防のための着脱容易な、軟性股関節装具に関する。
【背景技術】
【０００２】  股関節脱臼は軟部組織障害を持つ患者、特に股関節あたりの筋肉が弱っている人工関節再置換術を受けた患者にとっては深刻な問題であり、手術後の再発は避けられない現状である。又手術が繰り替えされると筋肉の強さが無くなり、他の軟部組織の正常な緊張状態が保てず股関節が不安定になる。【０００３】  股関節障害のための矯正装具治療の目的は変形を予防すること、変形部を矯正すること、病的な組織を保護すること、及び失った機能を補うことである。
脱臼が減った後、股関節サポーターや股関節装具が使用できるが、それらは旋回の動きを充分制御することは出来ないので骨盤バンドと一緒になった膝装具や長い上肢装具を使って旋回を制御してきた。
人工股関節再置換術後の脱臼の治療、あるいは予防法として従来とられてきた措置はソフトに固定するための脱臼予防パンツ、硬く固定するためのキャスト或いは外転矯正装具を使用することであった。
【発明が解決しようとする課題】
【０００４】  しかし、ソフトに固定させる脱臼防止パンツは、股関節手術１５４例の内１０例において術後脱臼が観察され、５例は再々置換手術が必要となるなどその効果は思わしくなかった。  また硬く固定させる装具は重く、それらの強い矯正機能は、筋肉を弱める恐れがあり、心理的ストレスと日常生活における活動の低下が懸念されている
【０００５】  本発明は、上記の事情に鑑みなされた物で，筋肉の弱体を予防し、回施中に股関節が安定して日常生活の行動範囲が制限されない、着脱容易な軟性装具を提供することを目的とするものである。
【課題を解決するための手段】
【０００６】  本発明の股関節装具は、皮膚に接触する３本のバンドと２本のストラップからなる。
【０００７】  装着は、図１に示すように３本のバンドを腰の周り（１）、大腿部（２），及び膝（３）に強く巻き付けた後、それぞれのバンドに伸縮性の強いストラップ（４及び５）を“Ｚ”のように交差させて固定させる。
【０００８】  バンドおよびストラップには、一般にサポーターやコルセットなどに使用される肌触りの良い、伸縮性のあるパイル生地や、スパンテックスなどが使用される。また伸縮性を高めるために裏にネオプレンなどを張り付けても良い。
【０００９】  また、腰用バンド（１）には、締め付けによる大転子への圧迫を緩めるために衝撃吸収性の高い発泡体を内臓させる。
【発明の効果】
人工股関節置換術後に、脱臼が起こり再手術を受けた軟部組織障害者、特に股関節あたりの筋肉が弱っている患者に、本発明の装具を施した所、相対的に選択して旋回を制限するため、過度な動作は制限されるが、歩行中や日常生活での穏やかな動作は制限されず、制限する力はバンドの位置や張り具合を変える事で調整出来るため，本装具を取り外さなくてもトイレに行くことが出来るなど，殆どの日常生活に支障が無かった。
また，他の使用法として，内施はストラップを逆方向に巻くことで予防でき，過度な旋回はストラップに伸縮性の無いバンドを加えるか，ストラップの代わりに伸縮性の無いバンドを使用することで予防できる。或いは過度な内施，外施は共にストラップを両方向に巻くことで予防できる。
【実施例１】
【００１０】  チャンレイの人工関節を施された患者が再発し，人工股関節再置換術を受け退院したが，１ヶ月の間に人工股関節の前部脱臼が３回も発生しため、その患者に本発明の股関節装具を装着，即ち腰の周り，大腿部，膝の３箇所にしっかりとバンド（１，２，３）を巻きつけ，伸縮性のあるストラップ（４，５）で“Ｚ”のように交差させて固定を行ったところ，その後１年経過したが脱臼は１度も起こらなかった。
また，歩行中や日常生活での穏やかな屈曲や範囲は制限されず，本装具を取り外さ無くても，トイレに行けるなど殆どの日常生活に影響は無かった。
【実施例２】
【００１１】  人工股関節置換術を行った患者に本発明の装具を装着したところ、強制的に完全固定せず、筋肉を使用しないことなどによる筋力低下を予防するため，脱臼後早期に活動を再現してリハビリを始められることから、術後の筋力低下による脱臼の再発をおこす患者にとって有益であることが判明した。
また、バンド（１）により腰部を強く締め付けているにもかかわらず、衝撃吸収性発泡体の効果により大転子への圧迫もなく快適に利用できた。
【実施例３】
【００１２】  実施例１のような前部脱臼に関わらず，後部脱臼についても，逆方向にストラップを巻くことにより再発が予防できた。
【図面の簡単な説明】
【００１３】
【図１】  本発明の股関節装具を患者に装着した場合の１例を示す斜視図である。
【符号の説明】
１    腰用バンド
２    大腿部用バンド
３    膝用バンド
４    ストラップ
５    ストラップ
【図１】
2005058687.tif 000003